(57)【要約】【課題】  本発明は第１に、アンプルのサイズに問わず挿入し易い角度で入れることができ、アンプルを安定的に支持しアンプルの切断環境を最適化することができる。第２に、切断されたアンプルヘッドおよび破片を円滑に吸引することは勿論、吸入の際に真空モータの過熱を防止して吸入効率を極大化できる。第３に、サイクロン集塵部を採用して吸入効率を向上させることは勿論、吸入の際にサイクロン集塵部から発生するノイズを減少させ快適な作動環境を提供する。第４に、アンプルの切断時にアンプル内に装入された注射液により汚染されたノズルあるいは吸入管を殺菌処理するためのアンプル切断装置を提供する。【解決手段】  アンプルのヘッドを挿入し切断するためのアンプル切断部と、アンプルの切断時に発生するアンプルのヘッドおよび微細破片などの回収物を空気と共に吸引してから、空気と回収物とを分離するための集塵部と、前記集塵部に負圧を印加するための負圧発生装置と、前記集塵部を介して吸引される回収物を収集するための収集部とを含む。前記集塵部はサイクロン集塵構造をもち、前記アンプル切断部は、一方が前記集塵部の吸気ポートに着脱自在に結合される吸入管と、前記吸入管の内側に挿入されるノズルと、前記ノズルの先端を吸入管の他方先端と整列されるよう固定するための固定構とを含む。【選択図】      図３Ｂ
2007045524.tif 000002
【特許請求の範囲】
【請求項１】
アンプルのヘッドを挿入し切断するためのアンプル切断部と、
アンプルの切断時に発生するアンプルのヘッドおよび微細破片などの回収物を空気と共に吸引してから、空気と回収物とを分離するための集塵部と、
前記集塵部に負圧を印加するための負圧発生装置と、
前記集塵部を介して吸引される回収物を収集するための収集部と
を含むことを特徴とするアンプル切断装置。
【請求項２】
前記集塵部はサイクロン集塵構造であることを特徴とする請求項１に記載のアンプル切断装置。
【請求項３】
前記負圧発生装置は、真空モータまたは真空ポンプであることを特徴とする請求項１に記載のアンプル切断装置。
【請求項４】
前記アンプル切断部は、
一方が前記集塵部の吸気ポートに着脱自在に結合される吸入管と、
前記吸入管の内側に挿入されるノズルと、
前記ノズルの先端を吸入管の他方先端と整列されるよう固定するための固定構とを含むことを特徴とする請求項１に記載のアンプル切断装置。
【請求項５】
前記ノズルはアンプルヘッドの直径より大きく、アンプルの胴体より小さい直径からなるメイン吸入孔を有することを特徴とする請求項４に記載のアンプル切断装置。
【請求項６】
前記ノズルのメイン吸入孔は、内周面がアンプルヘッドの形状に応じた流線型からなることを特徴とする請求項５に記載のアンプル切断装置。
【請求項７】
前記ノズルはアンプル切断時に破片を吸引すべく、挿入されたアンプルネックが位置する先端周りに多数のサブ吸入孔を備えることを特徴とする請求項４または５に記載のアンプル切断装置。
【請求項８】
前記ノズルは、先端が固定構に着脱自在に結合されていることを特徴とする  請求項４に記載のアンプル切断装置。
【請求項９】
前記集塵部の吸気ポートに結合される第１結合リングと、吸入管の他端に結合される第２結合リングと、を更に含み、
前記第１および第２結合リングは互いに着脱自在に結合されていることを特徴とする請求項１または４に記載のアンプル切断装置。
【請求項１０】
前記第１および第２結合リングはシーリング部材からなることを特徴とする請求項９に記載のアンプル切断装置。
【請求項１１】
前記収集部は、
前記集塵部の下端に配置し集塵部に吸込まれる回収物を１次収集し、負圧発生装置の作動が停止した状態で一定の量収集された回収物を下方向に排出させる第１収集筒と、
前記第１収集筒から排出された回収物を最終的に収集するための第２収集筒とを含むことを特徴とする請求項１に記載のアンプル切断装置。
【請求項１２】
前記第１収集筒は、
上下端がそれぞれ開放され、上端がサイクロン集塵部と連通するよう着脱自在に結合された胴体と、
前記胴体の下端の一方にヒンジ結合し、胴体の下端を開閉する排出板と、
前記排出板と胴体のヒンジ結合部に設けられ、排出板を胴体に弾力的に結合する少なくとも１つの弾性部材とを含むことを特徴とする請求項１１に記載のアンプル切断装置。
【請求項１３】
前記弾性部材はトーションバネであることを特徴とする請求項１２に記載のアンプル切断装置。
【請求項１４】
前記アンプル切断部、集塵部、収集部、および真空モータを内側に設けるためのハウジングを更に含むことを特徴とする請求項１に記載のアンプル切断装置。
【請求項１５】
前記ハウジングはアンプル切断部を収容するために、一面に突出部を延長形成し、
前記突出部は、アンプル切断部の底面と同一平面に形成される底面とが水平面に対して５°〜８５°の斜め角を有することを特徴とする請求項１４に記載のアンプル切断装置。
【請求項１６】
前記アンプルに充填されている注射液により汚染された吸入管およびノズルを殺菌するよう吸入管の周りに設けられた殺菌部を更に含むことを特徴とする請求項１または１４に記載のアンプル切断装置。
【請求項１７】
前記殺菌部は、
前記吸入管に隣接に配置される紫外線ランプと、
前記紫外線ランプにより放射される紫外線を介して吸入管に挿入されたノズルを露出させて殺菌すべく、紫外線ランプに隣接した吸入管の一部に形成されたグリル部と、
前記グリル部のシーリングのためにグリル部に挿入された多数の紫外線透過部材とを含むことを特徴とする請求項１６に記載のアンプル切断装置。
【請求項１８】
前記多数の紫外線透過部材はテープロンであることを特徴とする請求項１７に記載のアンプル切断装置。
【発明の詳細な説明】
【技術分野】
【０００１】
本発明は、サイクロン集塵装置を用いたアンプル切断装置に関し、詳細には、アンプルのサイズに問わず挿入し易い角度で入れることが可能であり、アンプルを安定的に支持しアンプルの切断環境を最適化することのできるアンプル切断装置に関する。
【背景技術】
【０００２】
一般に、アンプルに装入された注射剤はアンプルのネックを切断したあと注射器に投入させるが、アンプルのネックを切断するときネックから発生する微細ガラス破片の一部がアンプル内に流入する恐れがある。特に、密封された状態のアンプルはその内部が大気圧より低い状態を保つことから、アンプルネックの切断時に発生する破片が切断と同時にアンプル内に入り込む確率は更に高くなる。
【０００３】
係る微細ガラス破片が含まれた注射液を患者に投与する場合、患者の体内あるいは血中にガラス破片が残留する恐れがあり、このよう体内に蓄積されたガラス破片は組織臓器に留まることで潜在的な危険性を有する。結果的に、血管を閉塞して慢性的な組織問題を引き起こす恐れがある。
【０００４】
係る問題を解決するための従来のアンプル切断装置は、米国特許登録第４４１７６７９号に掲載されたように（図１Ａ参照）、アンプル（Ａ）の切断時に破片を吸入するために設けられたモータ（Ｍ）、吸入破片が収集されるタンク（Ｔ）、タンク（Ｔ）に破片を吸入誘導するための吸入流路（Ｌ）、アンプル胴体（Ｂ）のショルダーが挿入されるフレキシブルなジャケット２、アンプルヘッド（Ｈ）が挿入されるヘッドホルダ１、および収容部に設けられ破片を吸入流路（Ｌ）を介してタンク（Ｔ）に移動させるためにジャケットの内側を外部空気が流入されることができるようジャケット２の外周に形成された多数の通気孔４から構成されている。
【０００５】
このように構成された従来のアンプル切断装置は、アンプルネックに沿ってアンプルヘッドを胴体から切断させた後、アンプルヘッドをヘッドホルダ１に挿入させた状態でアンプル胴体（Ｂ）とフレキシブルなジャケット２とを一方向に押してヘッドが切断される。この際、切断面の周りに発生する微細ガラス破片は多数の通気孔４からジャケット２内に流入される空気と共にヘッドホルダ１の内側に沿って吸入流路（Ｌ）からタンク（Ｔ）に収集される。
【０００６】
係る従来のアンプル切断装置は、アンプルの切断時に切断部から発生する破片は切断されたアンプルヘッド（Ｈ）がヘッドホルダ（１）に挿入された状態で図１Ｂに示すよう、多数の溝１ａを介して吸入流路（Ｌ）に排出されるが、この場合、狭い溝１ａから排出されない破片がアンプル（Ａ）の内側に混入されてしまう恐れがある。
【０００７】
また、切断されたアンプルヘッド（Ｈ）は、ジャケット２の下部に配置された収集ボックスへ落ちるが、このとき鋭い切断部を有するヘッド（Ｈ）が外部に露出されることによってユーザが負傷されてしまう問題点を抱えている。
【０００８】
係る問題を解決するために、韓国実用新案登録第３７１２００号に掲載されたアンプル切断装置は、図２Ａに示したように、アンプル（Ａ）の外径より大きい半径を有する円筒状に形成された切断機構部５を介して、アンプルヘッド（Ｈ）および切断部から発生する破片を配管６を通じて収集部７に収集する。
【０００９】
係る従来のアンプル装置は、収集部７の後端に切断されたヘッド（Ｈ）および破片を配管６を介して吸入するための負圧発生装置９が設けられ、収集部７と負圧発生装置９との間にフィルタリング網８が設けられ、破片が負圧発生装置９に流入されることを抑える構造をもつ。
【００１０】
また、切断機構部５には、図２Ｂに示すように、アンプルヘッド（Ｈ）の外周に対応する、ほぼ円錐状の収容部５ａが形成されており、アンプルヘッド（Ｈ）の切断時に発生する破片を吸入するためアンプルネック（Ｎ）の周りに応じた部分に多数の吸入口５ｂが形成されている。
【００１１】
ところで、係る従来技術は破片およびヘッドの回収方向と空気の吸入方向とが同一であり、前記破片およびヘッドは最終的に収集筒７に流入された後、空気は収集筒７の後端に設けられたフィルタリング網８を介して負圧発生装置９に吸込まれる。
【００１２】
従って、収集部７に収集された切断ヘッドあるいは破片が増加するにつれフィルタリング網８に吸着される破片も増加する。よって、フィルタリング網８はフィルタリング機能をだんだん失っていくと同時に、空気通過率が低下され負圧発生装置９を介した吸入効率も共に低下する。
【００１３】
係る問題により従来のアンプル切断装置は、アンプル切断時に発生するガラス破片を吸引してアンプル内に破片が流入されることを抑えるための本来の目的は達成され難い。
【００１４】
ユーザはこのような問題を解決するために、収集部７を頻繁に空き状態にしなければならず、またフィルタリング網８をしきり掃除したり取り替えしなければならない面倒がある。
【００１５】
それと共に、図２Ａに示すよう、円筒状の切断機構部にアンプルヘッド（Ｈ）を挿入して切断する場合、ヘッド（Ｈ）を安定的に置いた状態で切断することができないため、切断時に注意を払わなければアンプルの鋭い切断部により負傷される恐れがある。
【００１６】
また、図２Ｂに示された円錐型切断機構部を使用する場合にはアンプル切断時に円筒型切断機構部に比べてアンプルヘッド（Ｈ）を安定的におくことはできるものの、切断時に吸入流路が小型の多数の吸入口５ｂに制限されることから、ガラス破片のみ吸入され切断されたヘッド（Ｈ）は吸入されない問題がある。
【００１７】
その結果、前述した従来と同様に、鋭い切断部を有するヘッド（Ｈ）が収集部７に吸入されずアンプル切断装置の外部に露出されることによって、ユーザの不注意により切断されたヘッド（Ｈ）から負傷を受ける恐れがある。
【発明の開示】
【発明が解決しようとする課題】
【００１８】
本発明は前述した問題点を解決するために案出されたもので、本発明の第１目的は、アンプルのサイズに問わず挿入し易い角度で入れることが可能であり、アンプルを安定的に支持しアンプルの切断環境を最適化することのできるアンプル切断装置を提供することにある。
【００１９】
本発明の第２の目的は、切断されたアンプルヘッドおよび破片を円滑に吸引することは勿論、吸入の際に真空モータの過熱を防止することで吸入効率を極大化させることのできるアンプル切断装置を提供することにある。
【００２０】
本発明の第３の目的は、サイクロン集塵部を採用して吸入効率を向上させることは勿論、吸入の際にサイクロン集塵部から発生するノイズを減少させることで快適な作動環境を提供するためのアンプル切断装置を提供することにある。
【００２１】
本発明の第４の目的は、アンプルの切断時にアンプル内に装入された注射液により汚染されたノズルあるいは吸入管を殺菌処理するためのアンプル切断装置を提供することにある。
【課題を解決するための手段】
【００２２】
前述の目的を達成するための本発明に係るアンプル切断装置は、アンプルのヘッドを挿入し切断するためのアンプル切断部と、アンプルの切断時に発生するアンプルのヘッドおよび微細破片などの回収物を空気と共に吸引してから、空気と回収物とを分離するための集塵部と、前記集塵部に負圧を印加するための負圧発生装置と、前記集塵部を介して吸引される回収物を収集するための収集部とを含む。前記集塵部はサイクロン集塵構造であることが好ましく、前記負圧発生装置は、真空モータまたは真空ポンプであることが好ましい。さらに、前記アンプル切断部は、一方が前記集塵部の吸気ポートに着脱自在に結合される吸入管と、前記吸入管の内側に挿入されるノズルと、
前記ノズルの先端を吸入管の他方先端と整列されるよう固定するための固定構とを含むことを特徴とする。この場合、前記ノズルはアンプルヘッドの直径より大きく、アンプルの胴体より小さい直径からなるメイン吸入孔を有することでアンプルの切断の際にアンプルの胴体が吸入管から吸込まれることを防止することができる。
【００２３】
これによると、アンプルヘッドが挿入されるノズルにメイン吸入孔および多数のサブ吸入孔を形成することで、円滑な吸入流路を確保でき、アンプルヘッドおよび破片など回収物の吸引を最適化することができる。
【００２４】
前記ノズルのメイン吸入孔は、内周面がアンプルヘッドの形状に応じた流線型からなり、アンプル切断時にアンプルを安定的に支持すると同時に切断のために加えられる力を最小化することができる。前記ノズルは破片を吸引すべく、挿入されたアンプルネックが位置する先端周りに多数のサブ吸入孔を備えることが好ましい。
【００２５】
前記ノズルは、先端が固定構に着脱自在に結合されており、アンプル容量や形状に対応するノズルを選択的に使用することができる。
【００２６】
また、前記集塵部の吸気ポートに結合される第１結合リングと、吸入管の他端に結合される第２結合リングと、を更に含み、前記第１および第２結合リングは互いに着脱自在に結合されることによって、集塵部の吸気ポートに吸入管を着脱することが容易であり、吸入管内の異物を除去することが簡単になる。
【００２７】
これによると、吸入管の着脱が自在であり、これにより吸入管の洗浄および異物除去が容易になり、広い吸入流路を維持し吸入効率を最適化すると共に真空モータの加熱を抑えることができる。
【００２８】
前記収集部は、前記集塵部の下端に配置し集塵部に吸込まれる回収物を１次収集し、負圧発生装置の作動が停止した状態で一定の量収集された回収物を下方向に排出させる第１収集筒と、前記第１収集筒から排出された回収物を最終的に収集するための第２収集筒とを含む。
【００２９】
これによると、収集筒が２段階に設定されることで真空モータの吸引効率を増加させることができ、サイクロン集塵部により収集するとき発生するノイズを減少させることができる。
【００３０】
この場合、前記第１収集筒は、上下端がそれぞれ開放され、上端がサイクロン集塵部と連通するよう着脱自在に結合された胴体と、前記胴体の下端の一方にヒンジ結合し、胴体の下端を開閉する排出板と、前記排出板と胴体のヒンジ結合部に設けられ、排出板を胴体に弾力的に結合する少なくとも１つの弾性部材とを含む。なお、前記弾性部材はトーションバネであることが好ましい。
【００３１】
本発明は前記アンプル切断部、集塵部、収集部、および真空モータを内側に設けるためのハウジングを更に含むことができる。
【００３２】
前記ハウジングはアンプル切断部を収容するために、一面に突出部を延長形成し、前記突出部は、アンプル切断部の底面と同一平面に形成される底面とが水平面に対して５°〜８５°の斜め角を有する。好ましくは、３０°〜６０°の斜め角を有することがよい。係る斜め角を維持することによってアンプルを切断する時作業者がアンプルの切断部に負傷を受けないよう作業者の手の移動する範囲を設定できる。
【００３３】
これによると、ノズルのメイン吸入流路をアンプルヘッドに対応する流線上に形成すると同時に、アンプルの切断角度を考えてアンプル切断部の設置角度を適切に設定し最小限の力で容易にアンプルを切断させることができる。
【００３４】
さらに、本発明は前記アンプルに充填されている注射液により汚染された吸入管およびノズルを殺菌するよう吸入管の周りに設けられた殺菌部を更に含むこともできる。前記殺菌部は、前記吸入管に隣接に配置される紫外線ランプと、前記紫外線ランプにより放射される紫外線を介して吸入管に挿入されたノズルを露出させて殺菌すべく、紫外線ランプに隣接した吸入管の一部に形成されたグリル部と、前記グリル部のシーリングのためにグリル部に挿入された多数の紫外線透過部材とを含む。前記紫外線透過部材はテープロンを使うことが好ましい。
【００３５】
これによると、紫外線殺菌部を介して注射液により汚染されたノズルあるいは吸入管を殺菌処理することができる。
【発明の効果】
【００３６】
本発明に係るアンプル切断装置によると、アンプルヘッドが挿入されるノズルにメイン吸入孔および多数のサブ吸入孔を形成することで、円滑な吸入流路を確保しアンプルヘッドおよび破片などの回収物の吸入を最適化することができる。
【００３７】
また、ノズルのメイン吸入流路をアンプルヘッドに対応する流線型に形成すると同時にアンプルの切断角度を考えてアンプル切断部の設置角度を適切に設定することにより最小限の力で簡単にアンプルを切断させることができる。
【００３８】
また、吸入管が着脱自在であり、これにより吸入管の洗いおよび異物の除去が容易になると同時に、広い吸入流路を維持することができることから吸入効率を最適化することができると共に、真空モータの加熱を抑えることができる。
【００３９】
さらに、収集筒を２段階に設定し真空モータの吸入効率を増大させ、サイクロン集塵部により収集する時発生するノイズを減少させることができると共に、紫外線殺菌部を通じて注射液により汚染されたノズルあるいは吸入管を殺菌処理できる。
【発明を実施するための最良の形態】
【００４０】
以下、添付の図面に基づいて本発明の好適な実施形態を詳述する。
【実施例】
【００４１】
図３Ａは本発明の一実施の形態に係るアンプル切断装置を示す斜視図であり、図３Ｂは本発明の一実施の形態に係るアンプル切断装置の内部を示す概略側面図である。
【００４２】
まず、本発明の一実施の形態に係るアンプル切断装置の全体的な構成は図３Ａおよび図３Ｂに示すように、ボックス型ハウジング１０、該ハウジング１０の内側上部に位置し切断されたアンプルヘッド（Ｈ）（図１０Ａ参照）および破片（以下、回収物と称する）を吸引し収集するためのサイクロン集塵部２０、サイクロン集塵部２０の吸気ポート２１と結合するアンプルのヘッド（Ｈ）を挿入および切断するためのアンプル切断部３０を備える。
【００４３】
また、サイクロン集塵部２０により集塵された回収物を収集するための収集部４０，６０、サイクロン集塵部２０に負圧を提供するための真空モータ５０を備える。収集部４０、６０および真空モータ５０はハウジング１０の内側に設けられる。
【００４４】
以下、前述した構成部分につき図面に基づいて詳説する。
【００４５】
図４は図３Ａで図示したハウジングに吸入管を収容する突出部を示す一部斜視図であり、図５は図４に示した突出部底面の斜め角を示す一部断面図である。
【００４６】
ハウジング１０は、上部の内側にアンプル（Ａ）のヘッド（Ｈ）を挿入／切断するための、後述するアンプル切断部３０が設けられる。この場合、ハウジング１０は、上側に前方に向って突出配置されているアンプ切断部３０をカバーリングするために上部全面に対して突出部１１を形成する。
【００４７】
突出部１１は、底面１２が図４および図５に示すよう、水平面について所定の角度（θ）５°〜８５°に設定し、好ましくは、３０°〜６０°に設定する。これは、アンプル切断時に作業者の手が移動する適切な範囲を設定するためである。
【００４８】
即ち、アンプル（Ａ）の切断方向は、図５に示すように、ハウジング１０の前面に向かい、係る切断方向に沿ってアンプル胴体（Ｂ）を押しアンプルを切断することになると、作業者の手は内側に曲げながらハウジング１０の前面に接し固定される。これにより作業者は安定的に、且つ容易にアンプルを切断することが可能となる。
【００４９】
前述のように、突出部１１の底面１２の角度（θ）はアンプル（Ａ）サイズまたはその他の周辺要因を考慮して前述の角度範囲内で適切に調節し使用することが好ましい。
【００５０】
図６は本発明の一実施の形態に係るアンプル切断装置のアンプル切断部を示す分離断面図であり、図７は図６に示すノズルを示す斜視図である。図８は図６に示されたノズルにアンプルが挿入された状態を示す斜視図であり、図９は図８に示されたノズルの先端を示す一部断面図である。図１０Ａおよび図１０Ｂはアンプル切断部にアンプルを挿入および切断する状態をそれぞれ示す概略断面図である。
【００５１】
アンプル切断部３０は、図３Ｂおよび図６に示すように、一端がサイクロン集塵部２０の吸気ポート２１に着脱自在に結合される吸入管３１、この吸入管３１の他端に着脱自在に結合される固定構３３０、およびノズル３１０から構成される。
【００５２】
ノズル３１０は図１０Ａに示すよう、固定構３３０の貫通孔３３１を介して吸入管３１に挿入された状態で、ノズル３１０のノズル先端３２１の外周面と突出条３２３の外周面がそれぞれ固定構３３０の第１内周面３３３および第２内周面３３５に圧入結合される。
【００５３】
この場合、固定構３３０に圧入されるノズル３１０は固定条３３７によりそれ以上挿入されない。
【００５４】
このように構成されたアンプル切断部３０は、切断したいアンプル容量あるいは形状に応じてノズル３１０およびノズル３１０を固定するための固定構３３０を容易に取り替えて使用することができる。
【００５５】
また、ノズル３１０は、内側に長さ方向に沿ってメイン吸入孔３１１を形成し、ノズル先端３２１の周りには斜めに形成されメイン吸入孔３１１とノズル３１０の外部を連通する多数のサブ吸入孔３１３を備える。
【００５６】
メイン吸入孔３１１は、アンプルヘッド（Ｈ）の直径より大きく、アンプルの胴体（Ｂ）より小さい直径をもち、アンプル切断の際に真空モータ５０によりノズル３１０に発生する負圧によってアンプル胴体（Ｂ）がサイクロン集塵部２０に吸込まれることを抑えることができる。
【００５７】
それと共に、メイン吸入孔３１１は内周面がアンプルヘッド（Ｈ）の形状に対応する流線型に形成され、アンプル切断時にアンプルを安定的に支持すると同時に切断するために加えられる力を最小化できる。
【００５８】
即ち、図９、図１０Ａおよび図１０Ｂに示すよう、メイン吸入孔３１１は先端、つまり、アンプルの上部収容面３１６ａをアンプルのショルダー（Ｓ）の形状に応じるよう形成し、メイン吸入孔３１１に挿入されたアンプル（Ａ）を安定的に支持する。
【００５９】
また、メイン吸入孔３１１は、後端、つまりヘッド収容面（３１６ｂ）をアンプルのショルダー（Ｓ）形状に応じて形成する。これにより、アンプルを切断するためにメイン吸入孔３１１にアンプルヘッド（Ｈ）を挿入した状態で（図１０Ａ参照）アンプル胴体（Ｂ）をハウジング１０の前面に向って押せば（図１０Ｂおよび図５参照）、アンプルはショルダー（Ｓ）の一方がショルダー収容面３１６ａに支持され、ヘッド（Ｈ）の他方はヘッド収容面３１６ｂに支持される。
【００６０】
このように、アンプル（Ａ）は２地点が支持された状態で小さい力で容易に切断される。
【００６１】
一方、ノズル３１０はアンプルヘッド（Ｈ）の切断時に切断部分から発生する微細破片を吸引するために、図９に示すよう、挿入されたアンプルのネック（Ｎ）が位置するノズル先端３２１の周りに多数のサブ吸入孔３１３を斜めに形成する。
【００６２】
多数のサブ吸入孔３１３の斜め角は、アンプルの形状およびサイズに応じてノズルの長手方向に対してほぼ１５°〜７５°で設定することが好ましい。
【００６３】
また、多数のサブ吸入孔３１３は、切断されたアンプルヘッド（Ｈ）がメイン吸入孔３１１を通過できないままメイン吸入孔３１１を塞ぐ場合、真空モータ５０の加熱を防止する機能も果す。
【００６４】
図１１Ａおよび図１１Ｂは、吸入管が１対の結合リングを介してサイクロン集塵部の吸気ポートに結合される前後状態をそれぞれ示す断面図である。
【００６５】
アンプル切断部３０は、図１１Ａに示すように、第１および第２結合リング３４１，３４３を介してサイクロン集塵部２０の吸気ポート２１に着脱自在に結合される。
【００６６】
第１結合リング３４１は吸気ポート２１の一端に固定結合し、第２結合リング３４３は吸入管３１に結合する。第１および第２結合リング３４１，３４３は突起部３４１ａおよび凹溝３４３ａを備え、図１１Ｂのように互いに着脱自在に結合される。
【００６７】
なお、第１および第２結合リング３４１，３４３はシーリング可能な材質、例えばゴム材であることが好ましい。
【００６８】
アンプル切断部３０は、第１および第２結合リング３４１，３４３を介してサイクロン集塵部の吸気ポート２１から分離することができ、吸入管内の異物を除去するための洗浄および修理が容易である。
【００６９】
図１２は本発明の一実施の形態に係るアンプル切断装置の紫外線殺菌部を示す概略斜視図である。図１３Ａは図１２に示された紫外線殺菌部を示す側面図であり、図１３Ｂは図１３Ａで表示されたＩ方向からみた背面図である。
【００７０】
また、本発明の一実施の形態に係るアンプル切断装置は、図１２のように、アンプル（Ａ）に充填されている注射液により汚染された吸入管３１およびノズル３１０を殺菌するよう、吸入管３１に隣接の紫外線殺菌部７０を備える。
【００７１】
紫外線殺菌部７０は、吸入管３３１に隣接に配置される紫外線ランプ７３（消費電力３〜４Ｗ）、ハウジング１０の内側に結合され紫外線ランプ７３を支持する１対の支持台７１、紫外線ランプに隣接の吸入管一部に形成されたグリル部７５から構成されている。
【００７２】
グリル部７５は、図１３Ａおよび図１３Ｂに示すように、吸入管３１およびノズル３１０を紫外線ランプ７３から発散される紫外線に露出させ殺菌できるよう、紫外線ランプ７３に対応した位置に形成することが好ましい。
【００７３】
この場合、吸入管３１のシーリングのために吸入管３１の射出時にシーリング機能を有する透明な紫外線透過部材７７、例えばテープロンを挿入することが好ましい。
【００７４】
また、グリル部７５と紫外線ランプ７３の位置は、アンプル（Ａ）の切断位置が偏向されることにより変わるノズル３１０の位置に応じて適切に変更することが好ましい。
【００７５】
図１４は本発明の一実施の形態にかかるアンプル切断装置の第１収集筒を示す概略分離斜視図であり、図１５Ａおよび図１５Ｂは図１４の第１収集筒の排出板が開閉される状態をそれぞれ示す側面図である。
【００７６】
一方、収集部４０、６０はサイクロン集塵部２０の下端に着脱自在に位置した第１収集筒４０と、第１収集筒４０から収集された回収物を最終的に収集するための第２収集筒６０とから構成されている。
【００７７】
第１収集筒４０は、サイクロン集塵部２０に流入される回収物を１次収集し、真空モータ５０の作動が止まった状態で一定の量収集された回収物を下方向に向って排出させる。
【００７８】
第２収集筒６０は、第１収集筒４０により排出された回収物を最終的に収集する役割をし、第２収集筒６０に収集された回収物を空きにするためには、図３Ａに示すようハウジング５０に形成されたドア１５をオープンし引出できる。
【００７９】
一方、第１収集筒４０の構造について詳説すると次の通りである。
【００８０】
第１収集筒４０は、図１４に示したように、上端がサイクロン集塵部２０の下端に着脱自在に連通された胴体４１を備え、該胴体４１の下端の一方に弾力的にヒンジ結合し胴体４１の下端を開閉する排出板４５からなる。
【００８１】
胴体４１は一面の下端に所定間隔をおいて形成された第１および第２突起４２ａ、４２ｂを備え、排出板４５もその一方に第１および第２突起４２ａ、４２ｂに対応する第３および第４突起４７ａ、４７ｂが形成される。
【００８２】
この場合、第１ないし第４突起４２ａ、４２ｂ、４７ａ、４７ｂは図１４および図１５Ａに示すように、第１ないし第４突起４２ａ、４２ｂ、４７ａ、４７ｂにそれぞれ形成された結合孔４３ａ、４３ｂ、４８ａ、４８ｂを貫通するヒンジ棒４９により相互ヒンジ結合する。
【００８３】
排出板４５は、ヒンジ棒４９に結合された第１および第２トーションバネ４６ａ、４６ｂにより胴体４１に弾力的にヒンジ結合する。
【００８４】
第１トーションバネ４６ａは、それぞれ第１突起４２ａおよび第３突起４７ａの間に配置され、第２トーションバネ４６ｂはそれぞれ第２突起４２ｂおよび第４突起４７ｂの間に配置される。また、第１および第２トーションバネ４６ａ、４６ｂは、図１５Ａに示すように、固定突起４７１、４７２に固定される第１引出線４６１と胴体４１を一面４１ａに弾力支持される第２引出線４６３を備える。
【００８５】
このように構成された第１収集筒４０は、平常時には図１５Ａに示したように、第１および第２トーションバネ４６ａ、４６ｂの弾性力により胴体４１の下端を閉鎖する。
【００８６】
一方、第１収集筒４０は真空モータ５０の作動に応じて吸引力が発生すると排出板４５を介して胴体４１の下端を閉鎖することで吸引力の低下を抑える。
【００８７】
また、第１収集筒４０は真空モータ５０の作動が止まった状態で収集された回収物量が基準量以上であれば、即ち、回収物の重さが第１および第２トーションバネ４６ａ、４６ｂの弾性力以上になれば、図１５Ｂに示すように、排出板４５の一方がヒンジ棒４９を中心とした方向に向って旋回し胴体４１の下端を開放することによって回収物を自由落下させる。
【００８８】
第１収集筒４０に収集された回収物が全て自由落下すると、排出板４５は第１および第２トーションバネ４６ａ、４６ｂにより図１５Ａのよう元位置に戻る。この場合、回収物を排出する基準量はトーションバネの仕様、つまり弾性係数を変更したり巻取回数を変更することによって調節される。
【００８９】
第１収集筒４０から自由落下された回収物は、第２収集筒６０に収集される。なお、第１および第２収集筒４０、６０との間に配置された真空モータ５０は第１収集筒４０から落下する回収物に干渉されないようカバーリングすることが好ましい。
【００９０】
このように構成された本発明の一実施の形態に係るアンプル切断装置の動作を詳説すると次の通りである。
【００９１】
まず、真空モータ５０を作動させた状態で、図１０Ａに示したように、アンプルヘッド（Ｈ）をノズル３１０のメイン吸入孔３１１に挿入する。
【００９２】
図５および図１０Ｂに示すように、アンプル胴体（Ｂ）をハウジング１０の前面に向って押せばアンプル（Ａ）はショルダー（Ｓ）の一方がショルダー収容面３１６ａの２地点に支持された状態でアンプルネック（Ｎ）を中心にアンプルヘッド（Ｈ）を切断できる。この場合、切断されたアンプルヘッド（Ｈ）はメイン吸入孔３１１を介して吸入管３１に沿ってサイクロン集塵部２０に吸込まれ、アンプルヘッド（Ｈ）が切断される。切断部分から発生する微細破片は多数のサブ吸入孔３１３およびメイン吸入孔３１１を介して吸入管３１に沿ってサイクロン集塵部２０に吸込まれる。
【００９３】
空気と共にサイクロン集塵部２０に吸引された回収物は、図３Ｂに示すように、第１収集筒４０に収集され、ゴミなどにより汚染されたサイクロン集塵部２０内に設けられた通常のフィルタ（図示されず）によりフィルタリングされて排気ポート２３および排気流路（Ｐ）を介して真空モータ５０に流入されてから外部に排出される。
【００９４】
一方、真空モータ５０により吸引作用が進む状態にては、第１収集筒４０の排出板４５が第１収集筒４０に収集された回収物量が基準量を越えた場合、排出板４５が下方向に旋回し第１収集筒４０の下部を開放させ排出板４５上に積もった回収物を第２収集筒６０に自由落下させる。
【００９５】
第１収集筒４０に収集された回収物が第２収集筒６０へほとんど落下すると、排出板４５は第１および第２トーションバネ４６ａ、４６ｂにより図１５Ａの状態に復帰し、第１収集筒４０の下部を閉鎖する。
【００９６】
本発明に係る一実施の形態においては、トーションバネを２つ用いたが、トーションバネの弾性力を考えて１つあるいは２つ以上使っても構わない。
【００９７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００９８】
【図１Ａ】従来のアンプル切断装置を示す概略斜視図および断面図である。
【図１Ｂ】従来のアンプル切断装置を示す概略斜視図および断面図である。
【図２Ａ】従来の他のアンプル切断装置を示す概略図および断面図である。
【図２Ｂ】従来の他のアンプル切断装置を示す概略図および断面図である。
【図３Ａ】本発明の一実施の形態に係るアンプル切断装置を示す斜視図である。
【図３Ｂ】本発明の一実施の形態に係るアンプル切断装置の内部を示す概略側面図である。
【図４】図３Ａに示すハウジングに吸入管を収容する突出部を示す一部斜視図である。
【図５】図４に示す突出部の底面の斜め角を示す一部断面図である。
【図６】本発明の一実施の形態に係るアンプル切断装置のアンプル切断部を示す分離断面図である。
【図７】図６に示すノズルを示す斜視図である。
【図８】図６に示すノズルにアンプルの挿入された状態を示した斜視図である。
【図９】図８に示すノズルの先端を示す一部断面図である。
【図１０Ａ】アンプル切断部にアンプルを挿入および切断する状態をそれぞれ示す概略断面図である。
【図１０Ｂ】アンプル切断部にアンプルを挿入および切断する状態をそれぞれ示す概略断面図である。
【図１１Ａ】吸入管が１対の結合リングを介してサイクロン集塵部の吸気ポートに結合される前／後状態をそれぞれ示す断面図である。
【図１１Ｂ】吸入管が１対の結合リングを介してサイクロン集塵部の吸気ポートに結合される前／後状態をそれぞれ示す断面図である。
【図１２】本発明の一実施の形態に係るアンプル切断装置の紫外線殺菌部を示す概略斜視図である。
【図１３Ａ】図１２に示す紫外線殺菌部を示す側面図である。
【図１３Ｂ】図１３Ａに表示されたＩ方向からみた背面図である。
【図１４】本発明の一実施の形態に係るアンプル切断装置の第１収集筒を示す概略分離斜視図である。
【図１５Ａ】図１４の第１収集筒の排出板が開閉される状態をそれぞれ示す側面図である。
【図１５Ｂ】図１４の第１収集筒の排出板が開閉される状態をそれぞれ示す側面図である。
【符号の説明】
【００９９】
１０          ハウジング
２０          サイクロン集塵部
３０          アンプル切断部
３１          吸入管
３１０        ノズル
３１１        メイン吸入孔
３１３        サブ吸入孔
３１６ａ      アンプルショルダー収容面
３１６ｂ      アンプルヘッド収容面
３２１        ノズル先端
３３０        固定構
３３１        貫通孔
３３３        第１内周面
３３５        第２内周面
４０          第１収集筒
５０          真空モータ
６０          第２収集筒
７０          紫外線殺菌部
【図１Ａ】
2007045524.tif 000003
【図１Ｂ】
2007045524.tif 000004
【図２Ａ】
2007045524.tif 000005
【図２Ｂ】
2007045524.tif 000006
【図３Ａ】
2007045524.tif 000007
【図３Ｂ】
2007045524.tif 000008
【図４】
2007045524.tif 000009
【図５】
2007045524.tif 000010
【図６】
2007045524.tif 000011
【図７】
2007045524.tif 000012
【図８】
2007045524.tif 000013
【図９】
2007045524.tif 000014
【図１０Ａ】
2007045524.tif 000015
【図１０Ｂ】
2007045524.tif 000016
【図１１Ａ】
2007045524.tif 000017
【図１１Ｂ】
2007045524.tif 000018
【図１２】
2007045524.tif 000019
【図１３Ａ】
2007045524.tif 000020
【図１３Ｂ】
2007045524.tif 000021
【図１４】
2007045524.tif 000022
【図１５Ａ】
2007045524.tif 000023
【図１５Ｂ】
2007045524.tif 000024